(57)【特許請求の範囲】
【請求項１】
打ち上げ花火の発射筒に収容される容器と、
前記容器の底に載置された火薬と、
前記火薬から伸びた導爆線と、
前記火薬の上に載せられた花火玉と、
前記容器の上端部に被さった蓋部と、
前記蓋部と前記花火玉との間で突っ張った支持部と、を有する、
ことを特徴とする打ち上げ花火用カートリッジ。
【請求項２】
前記蓋部と前記支持部との間に配置された第一緩衝部と、
前記花火玉と前記支持部との間に配置された第二緩衝部と、
前記支持部に備えられた乾燥剤と、を有する、
ことを特徴とする請求項１に記載された打ち上げ花火用カートリッジ。
【請求項３】
前記導爆線に接続される雷管が、前記第一緩衝部に収容された、
ことを特徴とする請求項２に記載された打ち上げ花火用カートリッジ。
【請求項４】
底部に孔が形成されて請求項１から請求項３のいずれか１項に記載された打ち上げ花火用カートリッジが収容される筒状の本体と、
前記底部に形成された孔を内側から塞ぐ内蓋と、を有する、
ことを特徴とする打ち上げ花火用発射筒。
【請求項５】
前記本体に取り付けられる環状の外蓋と、
前記本体と前記外蓋との間に挟まれるシートと、
前記本体の外面に形成されて前記外蓋が載せられるフランジ部と、を有する、
ことを特徴とする請求項４に記載された打ち上げ花火用発射筒。
【請求項６】
前記本体の上端部に形成された本体スリットと、
前記本体の外面であって、前記本体スリットの外側に備えられた薬室と、を有し、
前記打ち上げ花火用カートリッジにおいて、
前記本体スリットと同形の容器スリットが、前記容器の上端部に形成され、
前記導爆線に接続された前記雷管が、前記薬室に収容された、
ことを特徴とする請求項３に従属する請求項４、または、請求項３に従属する請求項４に従属する請求項５に記載された打ち上げ花火用発射筒。
【発明の詳細な説明】
【技術分野】
【０００１】
本発明は、打ち上げ花火の際に用いられる打ち上げ花火用カートリッジ及び打ち上げ花火用発射筒に関するものである。
【背景技術】
【０００２】
従来、打ち上げ花火は、例えば、下記特許文献1に記載された発射筒が用いられる。花火玉は、発射火薬と共に発射筒の中に設置され、発射火薬と花火玉の導火線に引火することで、爆燃によって打ち上げられて空中で炸裂する。
【０００３】
花火玉の打ち上げ方は様々であり、例えば、単打ち、連発などがある。単打ちは、花火玉を一発ずつ打ち上げる方法である。この方法では、発射筒の底に発射火薬が設置された後、花火玉の導火線が発射火薬に向けられた状態で花火玉が発射火薬の上に設置され、火塊が発射筒に投げ込まれることで、発射火薬と花火玉の導火線が引火する。連発は、複数の発射筒を用いて花火玉を同時または連続して打ち上げる方法である。この方法では、発射筒の中の発射火薬が導火線で繋げられ、繋がった順番に発射火薬に引火する。
【０００４】
いずれの打ち上げ方であっても、人手による直接点火方式が採られている一方で、近年では、電気点火方式も増えている。この電気点火方式では、発射火薬に導火線が繋げられ、この導火線に、電気導火線（電気雷管）を介して、分配器及び電気点火装置に接続される。したがって、遠隔で安全に発射火薬への点火を実行することができる。
【先行技術文献】
【特許文献】
【０００５】
【特許文献１】特開２００４−３５３８７３号公報
【発明の概要】
【発明が解決しようとする課題】
【０００６】
しかし、上記したとおり、いずれの打ち上げ方式であっても、また、いずれの点火方式であっても、発射筒の底に発射火薬を設置し、決められた向きで花火玉を発射火薬の上に設置する必要があるし、電気点火方式では、適切な配線が必要となる。花火を打ち上げる際、これらの設備が適切に整った後に、仮に、花火の打ち上げが中止となった場合、花火玉や発射火薬を発射筒から取り出すなどの作業を要するし、雨天などの場合には、早急に設備を撤去する必要がある。また、むき出しの発射火薬の撤去は危険を伴う。
【０００７】
本発明は、この様な実情に鑑みて提案されたものである。すなわち、打ち上げ花火に要する設備の設置や撤去を、迅速、容易、かつ、安全に実行することができる打ち上げ花火用カートリッジ及び打ち上げ花火用発射筒の提供を目的とする。
【課題を解決するための手段】
【０００８】
上記目的を達成するために、本発明に係る打ち上げ花火用カートリッジは、打ち上げ花火の発射筒に収容される容器と、前記容器の底に載置された火薬と、前記火薬から伸びた導爆線と、前記火薬の上に載せられた花火玉と、を有する、ことを特徴とする。
【０００９】
本発明に係る打ち上げ花火用カートリッジは、前記容器の上端部に被さった蓋部と、前記蓋部と前記花火玉との間で突っ張った支持部と、を有する、ことを特徴とする。
【００１０】
本発明に係る打ち上げ花火用カートリッジは、前記蓋部と前記支持部との間に配置された第一緩衝部と、前記花火玉と前記支持部との間に配置された第二緩衝部と、前記支持部に備えられた乾燥剤と、を有する、ことを特徴とする。
【００１１】
本発明に係る打ち上げ花火用カートリッジは、前記導爆線に接続される雷管が、前記第一緩衝部に収容された、ことを特徴とする。
【００１２】
本発明に係る打ち上げ花火用発射筒は、底部に孔が形成されて打ち上げ花火用カートリッジが収容される筒状の本体と、前記底部に形成された孔を内側から塞ぐ内蓋と、を有する、ことを特徴とする。
【００１３】
本発明に係る打ち上げ花火用発射筒は、前記本体に取り付けられる環状の外蓋と、前記本体と前記外蓋との間に挟まれるシートと、前記本体の外面に形成されて前記外蓋が載せられるフランジ部と、を有する、ことを特徴とする。
【００１４】
本発明に係る打ち上げ花火用発射筒は、前記本体の上端部に形成された本体スリットと、前記本体の外面であって、前記本体スリットの外側に備えられた薬室と、を有し、前記打ち上げ花火用カートリッジにおいて、前記本体スリットと同形の容器スリットが、前記容器の上端部に形成され、前記導爆線に接続された前記雷管が、前記薬室に収容された、ことを特徴とする。
【発明の効果】
【００１５】
本発明に係る打ち上げ花火用カートリッジは、打ち上げ花火の発射筒に収容される容器と、容器の底に載置された火薬と、火薬から伸びた導爆線と、火薬の上に載せられた花火玉とを有している。すなわち、打ち上げ花火において発射筒の中に設置する必要がある発射火薬、導爆線および花火玉が、容器に収容されているため、打ち上げ花火用カートリッジが発射筒に取り付けられることで、花火玉や火薬などの設置が完了する。また、仮に、打ち上げ花火が中止となった場合、打ち上げ花火用カートリッジが発射筒から抜き出されることで、花火玉や火薬などの撤去が完了する。したがって、打ち上げ花火に要する設備の設置や撤去を、迅速、容易、かつ、安全に実行することができる。
【００１６】
本発明に係る打ち上げ花火用カートリッジは、容器の上端部に被さった蓋部と、この蓋部と花火玉との間で突っ張った支持部とを有している。すなわち、不使用時において、容器の内側が蓋部で閉塞される。したがって、異物の混入や雨天による浸水を防ぐことができる。また、蓋部及び支持部よって花火玉が押さえ付けられる。したがって、搬送時などにおいて、発射火薬や花火玉が、不本意に移動することや、容器から飛び出すことを防ぐことができる。
【００１７】
本発明に係る打ち上げ花火用カートリッジは、蓋部と支持部との間に配置された第一緩衝部と、花火玉と支持部との間に配置された第二緩衝部と、支持部に備えられた乾燥剤とを有している。すなわち、各緩衝部により、外力や衝撃が緩衝される。したがって、安全である。また、乾燥剤によって水分が吸収されるため、湿気による火薬や花火玉の劣化を防ぐことができる。
【００１８】
本発明に係る打ち上げ花火用カートリッジは、導爆線に接続される雷管が、第一緩衝部に収容されている。仮に、雷管が予め導爆線に接続されていた場合、例えば、稲妻の放電などによって、電磁誘導が生じて誘導電流が流れ、雷管が誤爆することが考えられる。本発明は、雷管が、導爆線と接続されていない状態で、第一緩衝部に収容されているため、安全である。
【００１９】
本発明に係る打ち上げ花火用発射筒は、底部に孔が形成されて打ち上げ花火用カートリッジが収容される筒状の本体と、底部に形成された孔を内側から塞ぐ内蓋とを有している。すなわち、仮に、異物や水分や本体の中に入った場合であっても、孔を通って異物や水分が排出される。したがって、安全であり、かつ、清掃が容易である。
【００２０】
本発明に係る打ち上げ花火用発射筒は、本体に取り付けられる環状の外蓋と、本体と外蓋との間に挟まれるシートと、本体の外面に形成されて外蓋が載せられるフランジ部とを有している。すなわち、シートが外蓋で留められることで、本体の内側が閉塞される。したがって、火の粉や異物の混入、雨天による浸水を防ぐことができる。
【００２１】
本発明に係る打ち上げ花火用発射筒は、本体の上端部に形成された本体スリットと、本体の外面であって、本体スリットの外側に備えられた薬室とを有し、打ち上げ花火用カートリッジにおいて、本体スリットと同形の容器スリットが、容器の上端部に形成され、導爆線に接続された雷管が、薬室に収容されている。すなわち、本体スリットと容器スリットとが揃えられた状態において、導爆線が各スリットに通され、雷管が本体の外側で薬室に収容される。したがって、導爆線を適切に整線することができる。また、雷管が薬室で覆われた状態で、導爆線が起爆するため、火の粉の飛散を防ぎ、隣接する他の打ち上げ花火用発射筒における雷管や発射火薬本体の誤爆を防ぐことができる。
【図面の簡単な説明】
【００２２】
【図１】図１は、本発明の実施形態に係る打ち上げ花火用カートリッジの断面概略図である。
【図２】図２は、本発明の実施形態に係る打ち上げ花火用発射筒の一部の概略外観図である。
【図３】図３は、本発明の実施形態に係る打ち上げ花火用発射筒の一部の概略外観図である。
【図４】図４は、本発明の実施形態に係る打ち上げ花火用カートリッジであって、使用時の断面概略図である。
【図５】図５は、本発明の実施形態に係る打ち上げ花火用カートリッジ及び打ち上げ花火用発射筒の使用状態が示された概略外観斜視図である。
【発明を実施するための形態】
【００２３】
以下に、本発明の実施形態に係る打ち上げ花火用カートリッジを図面に基づいて説明する。図１は、本発明の実施形態に係る打ち上げ花火用カートリッジ１の断面が示されている。
【００２４】
図１に示されているとおり、打ち上げ花火用カートリッジ１は、打ち上げ花火の発射筒に収容される長手の容器２と、この容器２の底に載置された発射火薬体５と、この発射火薬体５の上に配置された花火玉１０と、容器２の上端部に被さった蓋部１２と、この蓋部１２と花火玉１０との間で突っ張った支持体１３と、発射火薬体５の導爆線７に接続される電気雷管８とが収容されている。すなわち、打ち上げ花火用カートリッジ１は、発射火薬体５及び花火玉１０が容器２に収容されたものであり、打ち上げ花火において発射筒に取り付けられる火工品がセットとなっている。ここで、電気雷管８は、電気点火装置３４（図５参照）からの電流で小爆発を起こすものであり、電気発火部と微量の火薬とから構成されている。導爆線７は、黒色火薬からなる太い紐状の火薬であり、爆発を伝搬するものである。電気雷管８を介して起爆し、発射火薬本体６を瞬時に誘爆させる。
【００２５】
容器２は、円筒状であり、下端が閉塞し、上端が開放されて容器開口部３を有している。容器２の上端部である容器開口部３は、一部に容器スリット４が形成されている。容器スリット４は、下方に向けて外側部が切り欠かれた溝である。容器２の素材は、例えば、防水紙、プラスチックなどである。
【００２６】
発射火薬体５は、発射火薬本体６から導爆線７が伸びている。導爆線７は、予備紐３７が取り付けられ、この予備紐３７は、容器開口部３を通って外側に伸び、容器２の外面に、テープなどで貼り付けられている。花火玉１０は、ほぼ球状であり、花火玉用導火線１１を有している。花火玉１０は、花火玉用導火線１１が発射火薬本体６に向けられた状態で発射火薬本体６の上に置かれている。花火玉１０の大きさは、例えば、２．５号から４０号（四尺玉）まで様々である。なお、容器２の大きさや発射火薬本体６の量は、花火玉１０の種類に応じて適宜決定される。
【００２７】
蓋部１２は、円筒状であり、上端が閉塞し、下端が開放されている。蓋部１２の素材は、例えば、防水紙、プラスチックなどである。支持体１３は、筒状の支持部１４と、この支持部１４の内側に収容された乾燥剤１５と、支持部１４の上端及び下端にそれぞれ板紙１６ａ，ｂを介して取り付けられた各緩衝部１７，１８とを有している。第一緩衝部１７は、上側の板紙１６ａの上面に取り付けられ、蓋部１２と支持部１４との間に配置されている。第二緩衝部１８は、下側の板紙１６ｂの下面に取り付けられ、花火玉１０と支持部１４との間に配置されている。第一緩衝部１７は、中央に窪みが形成され、この窪みに、電気導火線９が接続された電気雷管８が収容されている。電気導火線９は、電気点火装置３４（図５参照）からの電流を電気雷管８に伝える電線である。電気導火線９の先端は、被覆が剥かれ、芯線が捩られてショートしてある。なお、電気雷管８は、保護袋などに収容されていてもよい。また、電気雷管８は、電気導火線９の芯線がショートしてあり、電気導火線９が導爆線７と接触していない状態、または、近接していない状態であれば、第二緩衝部１８や、容器２の内側における任意の場所に収容されてもよい。
【００２８】
支持部１４の素材は、例えば、紙、プラスチックなどである。乾燥剤１５は、例えば、シリカゲル、酸化カルシウム、塩化カルシウムなどである。なお、乾燥剤１５は、支持部１４の外面に取り付けられていてもよいし、支持部１４から離れて容器２に直接詰められていてもよい。各緩衝材１７，１８の素材は、例えば、スポンジ、布などである。
【００２９】
次に、本発明の実施形態に係る打ち上げ花火用発射筒１９を図面に基づいて説明する。図２及び図３は、本発明の実施形態に係る打ち上げ花火用発射筒１９の外観が示されている。
【００３０】
図２及び図３に示されているとおり、打ち上げ花火用発射筒１９は、打ち上げ花火用カートリッジ１が収容される長手の本体２０と、この本体２０の底部２３の内側に取り付けられた内蓋２７と、本体２０の上端部に取り付けられる外蓋３０とを有している。本体２０、内蓋２７及び外蓋３０の素材は、例えば、金属などである。
【００３１】
本体２０は、円筒状であり、下端が閉塞し、上端が開放されて本体開口部２１を有している。本体２０の下端である底部２３は、一部に孔２４が形成されている。内蓋２７は、円板状であり、底部２３の孔２４を本体２０の内側から塞いでいる。本体２０の上端部である本体開口部２１は、一部に本体スリット２２が形成されている。本体スリット２２は、下方に向けて外側部が切り欠かれた溝であり、容器スリット４と同じ形状である。本体２０の外面は、本体スリット２２の外側に配置された薬室２５と、本体２０の上部において形成された円環状のフランジ部２８と、電気導火線９と電気点火装置３４（図５参照）とをジョイントするターミナル３６と、固定用ステー３２（図５参照）に固定するための固定部２９ａ，ｂとを有している。
【００３２】
薬室２５は、本体スリット２２を覆う程度の直方体の箱型であり、下端が閉塞し、上端が開放されている。薬室２５の上端部は、一部に薬室スリット２６が形成されている。薬室スリット２６は、下方に向けて外側部が切り欠かれた溝である。フランジ部２８は、薬室２５の直下に配置され、本体２０の外側面から外側に向けて張り出している。なお、フランジ部２８は、本体開口部２１に取り付けられた外蓋３０が載せられる形状であればよいため、環状に限られず、複数の突起であってもよい。
【００３３】
外蓋３０は、円環状であり、本体開口部２１に取り付けられてフランジ部２８に載せられた状態において、本体２０の上端に揃う程度の長さである。外蓋３０の外面は、被覆部３１が形成されている。被覆部３１は、薬室２５を覆う程度の箱型であり、上部が閉塞すると共に、この上部に、上部の１／３程度の大きさの隙間が形成されている。この隙間は、薬室２５における爆圧を開放するための空隙である。一方、薬室２５の下端は、開放されている。ターミナル３６は、二回路の端子台であり、一次側と二次側にそれぞれ端子部を有している。なお、端子部の形状や種類は任意である。固定部２９ａ，ｂは、本体２０の外側面から外側に向けて張り出し、ボルト孔が形成されている。固定部２９ａ，ｂは、上下方向に離れて二つ配置されているが、三つ以上であってもよい。
【００３４】
次に、打ち上げ花火用カートリッジ１及び打ち上げ花火用発射筒１９の使用方法を図面に基づいて説明する。図４は、打ち上げ花火用カートリッジ１における使用時の断面が示され、図５は、打ち上げ花火用カートリッジ１が打ち上げ花火用発射筒１９に取り付けられた状態が示されている。
【００３５】
図４に示されているとおり、打ち上げ花火用カートリッジ１を使用する際、作業者は、容器２から蓋部１２と支持体１３とを取り外し、第一緩衝部１７から電気雷管８と電気導火線９とを取り出す。また、予備紐３７を引っ張ることで、容器２に収容されている導爆線７を引き出す。
【００３６】
図５に示されているとおり、打ち上げ花火用発射筒１９の本体２０は、固定用ステー３２に固定される。詳説すれば、本体２０の固定部２９ａ，ｂが、固定用ステー３２に当てられた状態で、本体２０は、固定部２９ａ，ｂを介してボルトで固定用ステー３２に固定される。ターミナル３６の一次側には、分配器３３の母線３８が接続され、分配器３３は、コネクタなどを介して電気点火装置３４に接続される。なお、ターミナル３６は、点火時を除いて、アースしてある。打ち上げ花火用カートリッジ１は、本体２０の中に収容される。容器スリット４は、本体スリット２２に揃えられる。導爆線７が電気雷管８に取り付けられ、電気導火線９が、ターミナル３６の二次側に接続される。このようにして、電気雷管８は、電気点火装置３４と接続され、通電可能な状態となる。導爆線７は、容器スリット４及び本体スリット２２に引っ掛けられ、電気雷管８は、本体２０の薬室２５に収容され、電気導火線９は、薬室スリット２６に引っ掛けられる。
【００３７】
外蓋３０は、本体開口部２１に取り付けられてフランジ部２８に載せられ、被覆部３１が本体２０の薬室２５を覆う。薬室２５が被覆部３１で覆われることで、薬室スリット２６も被覆部３１で覆われる。
【００３８】
打ち上げ花火用発射筒１９の本体２０に、打ち上げ花火用カートリッジ１が収容された後、発射火薬本体６に点火する前までの間や、打ち上げ花火が中断した場合、火の粉や異物の混入、雨天による浸水を防ぐために、シート３５で本体開口部２１が覆われる。詳説すれば、外蓋３０が取り付けられる前に、本体開口部２１にシート３５が被せられ、この状態で、本体開口部２１に外蓋３０が取り付けられる。シート３５は、本体開口部２１と外蓋３０との間、及び、薬室２５と被覆部３１との間に挟まれる。シート３５は、例えば、樹脂製の薄いラップフィルムなど防水性のものである。
【００３９】
なお、打ち上げ花火用カートリッジ１が、打ち上げ花火用発射筒１９の本体２０に収容された後に、容器２から蓋部１２と支持体１３とが取り外され、容器２に収容されている導爆線７が引き出されてもよい。
【００４０】
以上のとおり、本実施形態が構成されている。
【００４１】
次に、本実施形態の効果を説明する。
【００４２】
上記したとおり、本実施形態に係る打ち上げ花火用カートリッジ１は、打ち上げ花火の発射筒に収容される長手の容器２と、この容器２の底に載置された発射火薬本体６と、この発射火薬本体６から伸びた導爆線７と、発射火薬本体６の上に載せられた花火玉１０とを有し、さらに、導爆線７に接続される電気雷管８が、容器２に収容されている。すなわち、打ち上げ花火用カートリッジ１は、打ち上げ花火において発射筒に取り付けられる火工品がセットとなっている。そのため、打ち上げ花火用カートリッジ１が発射筒に取り付けられることで、火工品の設置が完了し、また、仮に、打ち上げ花火が中止となった場合、打ち上げ花火用カートリッジ１が発射筒から抜き出されることで、火工品の撤去が完了する。したがって、打ち上げ花火に要する設備の設置や撤去を、迅速、容易、かつ、安全に実行することができる。
【００４３】
本実施形態に係る打ち上げ花火用カートリッジ１は、容器開口部３に取り付けられた蓋部１２と、この蓋部１２と花火玉１０との間で突っ張った支持体１３とを有している。すなわち、不使用時において、容器２の内側が蓋部１２で閉塞される。したがって、異物の混入や雨天による浸水を防ぐことができる。また、電気雷管８も外気に晒され難いため、静電気等による誤爆も防ぐことができる。また、蓋部１２及び支持体１３によって花火玉１０が押さえ付けられる。したがって、搬送時などにおいて、発射火薬本体６や花火玉１０が、不本意に移動することや、容器２から飛び出すことを防ぐことができる。
【００４４】
また、支持体１３は、筒状の支持部１４と、この支持部１４の内側に収容された乾燥剤１５と、支持部１４の上端及び下端にそれぞれ板紙１６ａ，ｂを介して取り付けられた各緩衝部１７，１８とを有している。すなわち、各緩衝部１７，１８により、外力や衝撃が緩衝される。したがって、安全である。また、乾燥剤１５によって水分が吸収されるため、湿気による発射火薬本体６や花火玉１０の劣化を防ぐことができる。
【００４５】
また、第一緩衝部１７に形成された窪みに、電気導火線９が接続された電気雷管８が収容され、電気導火線９の先端は、被覆が剥かれて芯線が捩られてショートしてある。したがって、例えば、稲妻の放電などによる誘導電流が流れるおそれがなく、電気雷管８が誤爆することを防ぐことができ、安全である。
【００４６】
本実施形態に係る打ち上げ花火用発射筒１９は、打ち上げ花火用カートリッジ１が収容される長手の本体２０の底部２３に、孔２４が形成され、内蓋２７が孔２４を本体２０の内側から塞いでいる。すなわち、仮に、異物や水分が本体２０の中に入った場合であっても、孔２３を通って異物や水分が排出される。したがって、安全であり、かつ、清掃が容易である。
【００４７】
また、本体２０は、上部において外面に形成された円環状のフランジ部２８を有し、本体開口部２１にシート３５が被せられた状態で、円環状の外蓋３０が、本体開口部２１に取り付けられてフランジ部２８に載せられる。すなわち、シート３５が外蓋３０で留められることで、本体２０の内側が閉塞される。したがって、火の粉や異物の混入、雨天による浸水を防ぐことができる。また、シート３５が薄いものであれば、本体開口部２１がシート３５で覆われた状態であっても、シート３５を突き破って花火玉１０を打ち上げることができる。
【００４８】
本実施形態では、打ち上げ花火用カートリッジ１における容器開口部３は、下方に向けて外側部が切り欠かれた容器スリット４が形成されている。一方で、打ち上げ花火用発射筒１９における本体開口部２１は、下方に向けて外側部が切り欠かれた本体スリット２２が形成されている。本体２０は、本体スリット２２を覆う程度の直方体の箱型の薬室２５を有し、この薬室２５の上端部は、下方に向けて外側部が切り欠かれた薬室スリット２６が形成されている。打ち上げ花火用カートリッジ１が、本体２０の中に収容される際、容器スリット４は、本体スリット２２に揃えられ、導爆線７は、本体スリット２２に引っ掛けられ、電気雷管８は、本体２０の薬室２５に収容され、電気導火線９は、薬室スリット２６に引っ掛けられる。したがって、導爆線７を適切に整線することができる。また、電気雷管８が薬室２５で覆われた状態で、導爆線７が起爆するため、火の粉の飛散を防ぎ、隣接する他の打ち上げ花火用発射筒１９における電気雷管８や発射火薬本体６の誤爆を防ぐことができる。さらに、薬室２５が、外蓋３０の被覆部３１で覆われることで、薬室スリット２６も被覆部３１で覆われ、より安全である。
【００４９】
本実施形態では、ターミナル３６の一次側に、分配器３３の母線３８が接続され、分配器３３は、コネクタなどを介して電気点火装置３４に接続される。ターミナル３６の二次側に、電気雷管８の電気導火線９が接続される。このようにして、電気雷管８は、電気点火装置３４と接続され、通電可能な状態となる。したがって、結線が容易であり、かつ、安全である。
【００５０】
なお、打ち上げ花火用カートリッジ１は、既存の発射筒にも用いられる。また、打ち上げ花火用発射筒１９は、一本でも用いられるし、数十本が束ねられても用いられる。また、参考例の打ち上げ花火用カートリッジは、発射火薬体が発射火薬本体のみから構成され、導爆線や電気雷管がなくてもよい。この場合、打ち上げ方は、人手による単打ちである。
【００５１】
以上、本発明の実施形態を詳述したが、本発明は上記した実施形態に限定されるものではない。そして本発明は、特許請求の範囲に記載された事項を逸脱することがなければ、種々の設計変更を行うことが可能である。
【符号の説明】
【００５２】
１          打ち上げ花火用カートリッジ
２          容器
３          容器開口部
４          容器スリット
５          発射火薬体
６          発射火薬本体（火薬）
７          導爆線
８          電気雷管（雷管）
９          電気導火線
１０        花火玉
１１        花火玉用導火線
１２        蓋部
１３        支持体
１４        支持部
１５        乾燥剤
１６ａ，ｂ  板紙
１７        第一緩衝部
１８        第二緩衝部
１９        打ち上げ花火用発射筒
２０        本体
２１        本体開口部
２２        本体スリット
２３        底部
２４        孔
２５        薬室
２６        薬室スリット
２７        内蓋
２８        フランジ部
２９ａ，ｂ  固定部
３０        外蓋
３１        被覆部
３２        固定用ステー
３３        分配器
３４        電気点火装置
３５        シート
３６        ターミナル
３７        予備紐
３８        母線
【要約】
【課題】打ち上げ花火に要する設備の設置や撤去を、迅速、容易、かつ、安全に実行することができる打ち上げ花火用カートリッジ及び打ち上げ花火用発射筒を提供する。
【解決手段】打ち上げ花火用カートリッジ１は、打ち上げ花火の発射筒に収容される長手の容器２と、この容器２の底に載置された発射火薬本体６と、この発射火薬本体６の上に載せられた花火玉１０と、発射火薬本体６に接続された導爆線７と、この導爆線７に接続される電気雷管８とを有しており、打ち上げ花火において発射筒に取り付けられる火工品がセットとなっている。
【選択図】図１【図１】
0006651671.tif 000002
【図２】
0006651671.tif 000003
【図３】
0006651671.tif 000004
【図４】
0006651671.tif 000005
【図５】
0006651671.tif 000006